(57)【要約】【課題】主に各種電子機器の操作に用いられるリモコン送信機に関し、小型化が図れ、誤操作がなく操作の容易なものを提供することを目的とする。【解決手段】操作体１３Ａが複数の方向へ操作可能な操作手段１３と、表示手段１４を設けると共に、制御手段１７が操作体１３Ａの操作に応じて、表示手段１４に所定のメニューを表示し、このメニューに応じたリモコン信号を送信することによって、一つの操作体１３Ａを複数の方向へ操作するだけで、機器やその機能等を選択し遠隔操作することができるため、小型化が図れると共に、誤操作がなく操作の容易なリモコン送信機を得ることができる。【選択図】図１
2007165966.tif 000002
【特許請求の範囲】
【請求項１】
略箱型のケースと、このケース上面に複数の方向へ操作可能な操作体が装着された操作手段と、上記ケースに装着された表示手段と、リモコン信号を送信する送信手段と、上記操作手段の操作方向を検出すると共に、上記表示手段と上記送信手段に接続された制御手段からなり、上記制御手段が上記操作体の操作に応じて、上記表示手段に所定のメニューを表示すると共に、このメニューに応じたリモコン信号を上記送信手段から送信するリモコン送信機。
【請求項２】
制御手段が操作体の所定方向の操作に応じて、表示手段に表示されたメニューを選択すると共に、上記方向とは異なる方向の操作体の操作に応じて、選択されたメニューに応じたリモコン信号を送信する請求項１記載のリモコン送信機。
【発明の詳細な説明】
【技術分野】
【０００１】
本発明は、主に各種電子機器の遠隔操作に用いられるリモコン送信機に関するものである。
【背景技術】
【０００２】
近年、映像や音響、空調等の各種電子機器の高機能化や多様化が進むなか、これらを遠隔操作するリモコン送信機においても、多様な操作を容易に行えるものが求められている。
【０００３】
このような従来のリモコン送信機について、図５及び図６を用いて説明する。
【０００４】
図５は従来のリモコン送信機の断面図、図６は同斜視図であり、同図において、１は絶縁樹脂製で略箱型のケース、２はゴム等の複数の操作体で、複数の操作体２が下方に設けられた略ドーム状の薄肉部３によって、上下動可能に連結形成されると共に、各操作体２上面はケース１上面の複数の開口孔１Ａから突出している。
【０００５】
また、４は上下面に複数の配線パターン（図示せず）が形成された配線基板で、この上面に操作体２が載置されると共に、配線基板４上面には、各操作体２下面に形成されたカーボン等の可動接点５と、所定の間隙を空けて対向する複数の固定接点６が設けられて、複数のスイッチ接点が形成されている。
【０００６】
そして、配線基板４上下面には、発光ダイオード等の電子部品によってリモコン信号を送信する送信手段７や、配線パターンを介して送信手段７や固定接点６等に接続された、マイコン等の制御手段８が形成されて、リモコン送信機が構成されている。
【０００７】
以上の構成において、例えば、上面に「ＴＶ」が表示された操作体２Ａを押圧操作すると、略ドーム状の薄肉部３が弾性変形して操作体２Ａが下方へ移動し、この下面の可動接点５が固定接点６と接触して、スイッチ接点の電気的接離が行われ、これを制御手段８が検出する。
【０００８】
そして、この後、上面に「５」が表示された操作体２Ｂを押圧操作すると、操作体２Ｂが下方へ移動して、下面のスイッチ接点の電気的接離が行われ、このスイッチ接点の電気的接離に応じて、制御手段８が送信手段７から赤外線のリモコン信号をテレビへ送信し、例えば、テレビのチャンネルが「５」に切換わる。
【０００９】
また、例えば、上面に「ＶＴＲ」が表示された操作体２Ｃを押圧操作した後、操作体２Ｄを押圧操作すると、この下面のスイッチ接点の電気的接離が行われ、これに応じたリモコン信号がビデオへ送信されて、ビデオテープの再生や停止等が行われる。
【００１０】
つまり、操作体２Ａや２Ｃ等を操作して、遠隔操作したい機器、例えばテレビやビデオ等を選択した後、操作体２Ｂや２Ｄ等を操作して、選局やビデオテープ再生等の機器の機能を操作することによって、一つのリモコン送信機で複数の電子機器の遠隔操作が行えるように構成されているものであった。
【００１１】
なお、この出願の発明に関連する先行技術文献情報としては、例えば、特許文献１が知られている。
【特許文献１】特開２００５−２２３３８６号公報
【発明の開示】
【発明が解決しようとする課題】
【００１２】
しかしながら、上記従来のリモコン送信機においては、遠隔操作する電子機器が増えるにしたがい、機器を選択する操作体も、選局等の機能を切換える操作体も多くなり、全体が大きなものになると共に、どの操作体がどの機器のどの機能を操作するものなのかが判りづらくなるため、操作が煩雑となり、誤操作も生じ易くなってしまうという課題があった。
【００１３】
本発明は、このような従来の課題を解決するものであり、小型化が図れると共に、誤操作がなく操作の容易なリモコン送信機を提供することを目的とする。
【課題を解決するための手段】
【００１４】
上記目的を達成するために本発明は、以下の構成を有するものである。
【００１５】
本発明の請求項１に記載の発明は、操作体が複数の方向へ操作可能な操作手段と、表示手段を設けると共に、制御手段が操作体の操作に応じて、表示手段に所定のメニューを表示し、このメニューに応じたリモコン信号を送信するようにしてリモコン送信機を構成したものであり、一つの操作手段の操作体を複数の方向へ操作することによって、機器やその機能等を選択し遠隔操作することができるため、小型化が図れると共に、誤操作がなく操作の容易なリモコン送信機を得ることができるという作用を有する。
【００１６】
請求項２に記載の発明は、請求項１記載の発明において、制御手段が操作体の所定方向の操作に応じて、表示手段に表示されたメニューを選択すると共に、上記方向とは異なる方向の操作体の操作に応じて、選択されたメニューに応じたリモコン信号を送信するものであり、例えば、操作体の回転操作によってチャンネル等の操作機能を選択した後、押圧操作によって機器のチャンネルを実際に切換える等、さらに誤操作がなく、操作を容易に行うことができるという作用を有する。
【発明の効果】
【００１７】
以上のように本発明によれば、小型化が図れ、誤操作がなく操作の容易なリモコン送信機を実現できるという有利な効果が得られる。
【発明を実施するための最良の形態】
【００１８】
以下、本発明の実施の形態について、図１〜図４を用いて説明する。
【００１９】
（実施の形態）
図１は本発明の一実施の形態によるリモコン送信機の断面図、図２は同斜視図であり、同図において、１１はＡＢＳやポリスチレン等の絶縁樹脂製で略箱型のケース、１２はポリエステル等のフィルム状で光透過性のシートで、下面に暗色等の塗料が塗布されたシート１２がケース１１上面に貼付されると共に、ケース１１上面やシート１２には開口孔１１Ａ、１２Ａが形成されている。
【００２０】
そして、１３は球状の操作体１３Ａが前後左右方向へ回転、及び上下方向へ押圧操作可能な操作手段で、操作体１３Ａの回転を検知する磁気や光等のセンサ、及び押圧によって電気的接離を行うスイッチ接点等が内蔵されると共に、絶縁樹脂製の操作体１３Ａが、ケース１１やシート１２の開口孔１１Ａ、１２Ａから上方へ突出している。
【００２１】
また、１４は液晶表示素子等の表示手段で、この表示手段１４がケース１１上面やシート１２に設けられた透光部１１Ｂ、１２Ｂ下方に装着されると共に、表示手段１４下面両端の電極が、カーボン等の導電層とシリコンゴム等の絶縁層が積層された弾性接続体１５に載置されている。
【００２２】
さらに、１６は紙フェノールやガラス入りエポキシ等の配線基板で、上下面に銅箔等によって複数の配線パターン（図示せず）が形成されると共に、この配線パターンに、やや撓んだ状態の弾性接続体１５によって、表示手段１４が電気的に接続されている。
【００２３】
そして、１７は配線基板１６に実装されたマイコン等の制御手段、１８は発光ダイオード等の送信手段で、この制御手段１７が配線パターンを介して、操作手段１３や表示手段１４、送信手段１８に接続されて、リモコン送信機が構成されている。
【００２４】
以上の構成において、操作体１３Ａを回転、或いは押圧操作すると、この操作手段１３の操作を制御手段１７が検出し、例えば、図２に示すように、表示手段１４にメインメニューの「ＴＶ」と「ＶＴＲ」が表示される。
【００２５】
そして、例えば、テレビを遠隔操作する場合には、操作体１３Ａを前後方向へ回転操作し、カーソルＡを「ＴＶ」に移動した状態で、操作体１３Ａを押圧操作すると、この操作を制御手段１７が検出し、表示手段１４には、図３の斜視図に示すような、テレビの操作機能のサブメニューが表示される。
【００２６】
この後、再び操作体１３Ａを前後及び左右方向へ回転操作し、例えば、カーソルＡを「５」に移動した状態で、操作体１３Ａを押圧操作すると、これを制御手段１７が検出して、送信手段１８から選択されたメニューに応じた赤外線のリモコン信号をテレビへ送信し、例えば、テレビのチャンネルが「５」に切換わる。
【００２７】
なお、図２の状態で、テレビではなく、操作体１３Ａの回転操作で「ＶＴＲ」を選択し、操作体１３Ａを押圧操作した場合には、図３のテレビの操作機能ではなく、図４の斜視図に示すように、ビデオテープの再生や停止等といったビデオに関する操作機能が、サブメニューとして表示手段１４に表示されるようになっている。
【００２８】
つまり、操作体１３Ａの回転操作で、メインメニューの機器やサブメニューの操作機能等を選択すると共に、この同じ操作体１３Ａの押圧操作で、メニューの切換えやリモコン信号の送信を行うことによって、一つのリモコン送信機で複数の電子機器の遠隔操作が行えるように構成されている。
【００２９】
即ち、一つの操作体１３Ａを複数の方向へ回転、或いは押圧操作すると共に、この操作体１３Ａの操作に応じて制御手段１７が、表示手段１４に所定のメニューを表示し、このメニューに応じたリモコン信号を送信するようになっているため、遠隔操作する電子機器が増えた場合にも、操作手段１３は一つだけですみ、全体の小型化が図れると共に、誤操作がなく容易に操作が行えるようになっている。
【００３０】
また、制御手段１７が操作体１３Ａの所定方向の操作、例えば回転操作に応じて、表示手段１４に表示されたメニューを選択すると共に、これとは異なる方向の操作体１３Ａの操作、例えば押圧操作に応じて、メニューの切換えや選択されたメニューに応じたリモコン信号を送信するようになっているため、さらに誤操作がなく、容易に操作を行うことができる構成となっている。
【００３１】
このように本実施の形態によれば、操作体１３Ａが複数の方向へ操作可能な操作手段１３と、表示手段１４を設けると共に、制御手段１７が操作体１３Ａの操作に応じて、表示手段１４に所定のメニューを表示し、このメニューに応じたリモコン信号を送信することによって、一つの操作体１３Ａを複数の方向へ操作するだけで、機器やその機能等を選択し遠隔操作することができるため、小型化が図れると共に、誤操作がなく操作の容易なリモコン送信機を得ることができるものである。
【００３２】
そして、制御手段１７が操作体１３Ａの所定方向の操作に応じて、表示手段１４に表示されたメニューを選択すると共に、上記方向とは異なる方向の操作体１３Ａの操作に応じて、選択されたメニューに応じたリモコン信号を送信することによって、例えば、操作体１３Ａの回転操作によってチャンネル等の操作機能を選択した後、押圧操作によって機器のチャンネルを実際に切換える等、さらに誤操作がなく、容易な操作が可能となる。
【００３３】
なお、以上の説明では、球状の操作体１３Ａが前後左右方向へ回転、及び上下方向へ押圧操作可能な操作手段１３を用いた構成について説明したが、棒状のスティックを前後左右方向へ揺動、及び上下方向へ押圧操作して、各方向のスイッチ接点の電気的接離を行うスティック方式のものや、平板状のシートを押圧操作し、下面の電極の電気的接離や静電容量の変化によって、操作位置を検出するタッチパネル方式のもの等、その他の様々な操作手段を用いても、本発明の実施は可能である。
【００３４】
また、以上の説明では、テレビやビデオ等、遠隔操作する機器をメインメニューとして選択し、この後、その機器の操作機能をサブメニューとして選択する構成について説明したが、例えば、「画質」等の機能をメインメニューとして選択した後、サブメニューとして「明るさ」「コントラスト」等のさらに詳細な機能が表示手段１４に表示され、これらを選択する構成としてもよい。
【産業上の利用可能性】
【００３５】
本発明によるリモコン送信機は、小型化が図れると共に、誤操作がなく操作の容易なものが得られ、主に各種電子機器の操作用として有用である。
【図面の簡単な説明】
【００３６】
【図１】本発明の一実施の形態によるリモコン送信機の断面図
【図２】同斜視図
【図３】同操作時の斜視図
【図４】同他の操作時の斜視図
【図５】従来のリモコン送信機の断面図
【図６】同斜視図
【符号の説明】
【００３７】
１１  ケース
１１Ａ、１２Ａ  開口孔
１１Ｂ、１２Ｂ  透光部
１２  シート
１３  操作手段
１３Ａ  操作体
１４  表示手段
１５  弾性接続体
１６  配線基板
１７  制御手段
１８  送信手段
【図１】
2007165966.tif 000003
【図２】
2007165966.tif 000004
【図３】
2007165966.tif 000005
【図４】
2007165966.tif 000006
【図５】
2007165966.tif 000007
【図６】
2007165966.tif 000008